(57)【要約】【課題】遊技球の振分種類を多くして、遊技の趣向性を向上させる。  【解決手段】遊技領域に設けられた特別遊技領域１０１Ｂと、遊技領域に打込まれた遊技球を特別遊技領域１０１Ｂ内に受入れ可能な球入口と、特別遊技領域１０１Ｂに設けられ、特別遊技の権利を発生可能な第１入賞口１１３ａと、特別遊技領域１０１Ｂに設けられ、一般の入賞とする第２入賞口１１３ｂと、特別遊技領域１０１Ｂに設けられ、特別遊技と異なる他の特別遊技の権利を発生可能な第３入賞口１１３ｃと、特別遊技領域１０１Ｂに受け入れられた遊技球を、第１入賞口１１３ａ、第２入賞口１１３ｂまたは第３入賞口１１３ｃの何れかに振り分ける振分回転盤１３を備える。    【選択図】  図６
2008161368.tif 000002
【特許請求の範囲】
【請求項１】
遊技球を遊技領域に打込んで遊技が行なわれる弾球遊技機において、
前記遊技領域に設けられた特別遊技領域と、前記遊技領域に打込まれた遊技球を前記特別遊技領域内に受入れ可能な球入口と、前記特別遊技領域に設けられ、特別遊技の権利を発生可能な第１入賞口と、前記特別遊技領域に設けられ、一般の入賞とする第２入賞口と、前記特別遊技領域に設けられ、前記特別遊技と異なる他の特別遊技の権利を発生可能な第３入賞口と、前記特別遊技領域に受け入れられた遊技球を、前記第１入賞口、前記第２入賞口または第３入賞口の何れかに振り分ける振分手段を備えたことを特徴とする弾球遊技機。
【請求項２】
前記振分手段を、前記特別遊技領域に駆動源により回転可能に枢支された振分回転盤とし、前記振分回転盤は、前記特別遊技領域に受け入れられた遊技球を受け入れてこれを前記振分回転盤の円周方向に沿って移動させて前記第１入賞口に振り分ける第１搬送部、前記第２入賞口に振り分ける第２搬送部及び前記第３入賞口に振り分ける第３搬送部を有することを特徴とする請求項１記載の弾球遊技機。
【請求項３】
遊技球を遊技領域に打込んで遊技が行なわれる弾球遊技機において、
前記遊技領域に設けられ、一次特別領域と二次特別領域とに区画された特別遊技領域と、前記遊技領域に打込まれた遊技球を前記特別遊技領域内に受入れ可能な球入口と、前記特別遊技領域における前記一次特別領域に設けられ、特別遊技の権利を発生可能な第１入賞口と、前記一次特別領域に設けられ、一般の入賞とする第２入賞口と、前記一次特別領域に設けられ、前記二次特別領域へ移動可能とする第３入賞口と、前記一次特別領域に受け入れられた遊技球を、前記第１入賞口、前記第２入賞口または第３入賞口の何れかに振り分ける一次振分手段と、前記二次特別領域に設けられ、特別遊技の権利を発生可能な第４入賞口と、前記二次特別領域に設けられ、一般の入賞とする第５入賞口と、前記一次振分手段により前記第３入賞口に振り分けられた遊技球を、前記第４入賞口または前記第５入賞口に振り分ける二次振分手段を備えたことを特徴とする弾球遊技機。
【請求項４】
前記一次振分手段を、前記一次特別領域に駆動源により回転可能に枢支された一次振分回転盤とし、また、記二次振分手段を、前記二次特別領域に駆動源により回転可能に枢支された二次振分回転盤とし、
前記一次振分回転盤は、前記一次特別領域に入った遊技球を受け入れてこれを前記一次振分回転盤の円周方向に沿って移動させて前記第１入賞口に振り分ける第１搬送部、前記第２入賞口に振り分ける第２搬送部及び前記第３入賞口に振り分ける第３搬送部を有し、
前記二次振分回転盤は、前記一次振分回転盤により前記第３入賞口に振り分けられた遊技球を受け入れてこれを前記二次振分回転盤の円周方向に沿って移動させて前記第４入賞口に振り分ける第４搬送部及び前記第５入賞口に振り分ける第５搬送部を有することを特徴とする請求項３記載の弾球遊技機。
【請求項５】
前記一次振分手段により前記第３入賞口に振り分けられた遊技球を、前記二次特別領域に誘導可能な案内手段を備えたことを特徴とする請求項３または４記載の弾球遊技機。
【請求項６】
前記案内手段は、前記一次振分手段により前記第３入賞口に振り分けられた遊技球を前記二次特別領域に向けて転動させる斜面部と、前記斜面部を転動した遊技球を受け止めてこれを上方へ搬送して前記二次特別領域に搬送可能なリフト回転盤を含むことを特徴とする請求項５記載の弾球遊技機。
【発明の詳細な説明】
【技術分野】
【０００１】
本発明は、遊技球を遊技領域に打込んで遊技が行なわれる弾球遊技機に関する。
【背景技術】
【０００２】
弾球遊技機において、遊技領域に発射された遊技球が、遊技領域に設けられた始動入賞口に入賞すると、遊技領域のほぼ中央部に配置された入賞装置に設けた羽根部材が開閉動作する。そして、羽根部材が開閉動作したとき、遊技球が入賞装置内に受け入れられて、入賞装置内に設けた特別遊技領域に誘導されて特別入賞口に入賞することにより、特別遊技の権利が発生するようになっている。特別遊技領域には、受け入れた遊技球を特別入賞口または一般入賞口に振り分けるための振分手段をなす振分回転盤が設けられている。
【０００３】
振分回転盤においては、垂直軸廻りに回転し、遊技球を特別入賞口に搬送するための特別搬送部及び一般入賞口に搬送するための一般搬送部を設けたものが知られている（例えば、特許文献１、２参照）。
【特許文献１】特開２００６−３４６９４号公報
【特許文献２】特開２００６−１４９４２０号公報
【発明の開示】
【発明が解決しようとする課題】
【０００４】
上述のような弾球遊技機においては、振分回転盤により遊技球を振り分ける振分種類が、特別入賞口及び一般入賞口の２種類しかないため、遊技球の振分が単調であって趣向性が低い。また、遊技球が振分回転盤により特別入賞口または一般入賞口に振り分けられることで、その時点で、特別遊技の権利が発生するか否かが確定されるため、遊技球の振分による動きを長く楽しむという遊技機の趣向性が低下することとなる。
【０００５】
本発明は、上述の従来の問題に鑑みてなされたもので、第１の目的は、遊技球の振分種類を多くして、遊技の趣向性を向上させた弾球遊技機を提供することにある。第２の目的は、遊技球の振分による動きを長く楽しむことができるようにして、遊技の趣向性を向上させた弾球遊技機を提供することにある。
【課題を解決するための手段】
【０００６】
本発明によると、上記課題は、次のようにして解決される。
（１）遊技球を遊技領域に打込んで遊技が行なわれる弾球遊技機において、前記遊技領域に設けられた特別遊技領域と、前記遊技領域に打込まれた遊技球を前記特別遊技領域内に受入れ可能な球入口と、前記特別遊技領域に設けられ、特別遊技の権利を発生可能な第１入賞口と、前記特別遊技領域に設けられ、一般の入賞とする第２入賞口と、前記特別遊技領域に設けられ、前記特別遊技と異なる他の特別遊技の権利を発生可能な第３入賞口と、前記特別遊技領域に受け入れられた遊技球を、前記第１入賞口、前記第２入賞口または第３入賞口の何れかに振り分ける振分手段を備える。
【０００７】
（２）上記(１)項において、前記振分手段を、前記特別遊技領域に駆動源により回転可能に枢支された振分回転盤とし、前記振分回転盤は、前記特別遊技領域に受け入れられた遊技球を受け入れてこれを前記振分回転盤の円周方向に沿って移動させて前記第１入賞口に振り分ける第１搬送部、前記第２入賞口に振り分ける第２搬送部及び前記第３入賞口に振り分ける第３搬送部を有する。
【０００８】
（３）遊技球を遊技領域に打込んで遊技が行なわれる弾球遊技機において、前記遊技領域に設けられ、一次特別領域と二次特別領域とに区画された特別遊技領域と、前記遊技領域に打込まれた遊技球を前記特別遊技領域内に受入れ可能な球入口と、前記特別遊技領域における前記一次特別領域に設けられ、特別遊技の権利を発生可能な第１入賞口と、前記一次特別領域に設けられ、一般の入賞とする第２入賞口と、前記一次特別領域に設けられ、前記二次特別領域へ移動可能とする第３入賞口と、前記一次特別領域に受け入れられた遊技球を、前記第１入賞口、前記第２入賞口または第３入賞口の何れかに振り分ける一次振分手段と、前記二次特別領域に設けられ、特別遊技の権利を発生可能な第４入賞口と、前記二次特別領域に設けられ、一般の入賞とする第５入賞口と、前記一次振分手段により前記第３入賞口に振り分けられた遊技球を、前記第４入賞口または前記第５入賞口に振り分ける二次振分手段を備える。
【０００９】
（４）上記(３)項において、前記一次振分手段を、前記一次特別領域に駆動源により回転可能に枢支された一次振分回転盤とし、また、記二次振分手段を、前記二次特別領域に駆動源により回転可能に枢支された二次振分回転盤とし、前記一次振分回転盤は、前記一次特別領域に入った遊技球を受け入れてこれを前記一次振分回転盤の円周方向に沿って移動させて前記第１入賞口に振り分ける第１搬送部、前記第２入賞口に振り分ける第２搬送部及び前記第３入賞口に振り分ける第３搬送部を有し、前記二次振分回転盤は、前記一次振分回転盤により前記第３入賞口に振り分けられた遊技球を受け入れてこれを前記二次振分回転盤の円周方向に沿って移動させて前記第４入賞口に振り分ける第４搬送部及び前記第５入賞口に振り分ける第５搬送部を有する。
【００１０】
（５）上記(３)項または(４)項において、前記一次振分手段により前記第３入賞口に振り分けられた遊技球を、前記二次特別領域に誘導可能な案内手段を備える。
【００１１】
（６）上記(５)項において、前記案内手段は、前記一次振分手段により前記第３入賞口に振り分けられた遊技球を前記二次特別領域に向けて転動させる斜面部と、前記斜面部を転動した遊技球を受け止めてこれを上方へ搬送して前記二次特別領域に搬送可能なリフト回転盤を含む。
【発明の効果】
【００１２】
本発明によれば、次のような効果が奏せられる。
請求項１記載の発明によると、遊技領域に設けられた特別遊技領域に、特別遊技の権利を発生可能な第１入賞口と、一般の入賞とする第２入賞口と、特別遊技と異なる他の特別遊技の権利を発生可能な第３の入賞口と、特別遊技領域に入った遊技球を、第１入賞口、第２入賞口または第３入賞口の何れかに振り分ける振分手段を設けたことによって、遊技球の振分が多彩になって遊技の趣向性を向上させることができる。
【００１３】
請求項２記載の発明によると、振分手段を、特別遊技領域に駆動源により回転可能に枢支された振分回転盤としたことにより、振分回転盤の回転による遊技球の振り分けを楽しむことができる。
【００１４】
請求項３記載の発明によると、特別遊技領域における一次特別領域に、特別遊技の権利を発生可能な第１入賞口と、一般の入賞とする第２入賞口と、特別遊技領域における二次特別領域へ移動可能とする第３入賞口と、遊技球を第１入賞口、第２入賞口または第３入賞口の何れかに振り分ける一次振分手段を設け、また、特別遊技領域における二次特別領域に、特別遊技の権利を発生可能な第４入賞口と、一般の入賞とする第５入賞口と、一次振分手段により第３入賞口に振り分けられた遊技球を、第４入賞口または第５入賞口の何れかに振り分ける二次振分手段を設けたことにより、一次振分手段により振り分けられた遊技球をさらに二次振分手段により振り分けるため、遊技球の振分による動きを長く楽しむことができるとともに、一次特別領域と二次特別領域で２度の抽選を楽しむことができ、遊技の趣向性を向上させることができる。
【００１５】
請求項４記載の発明によると、一次振分回転盤の回転により遊技球を振り分けた後、再度、二次振分回転盤の回転により遊技球の振り分けを楽しむことができる。
【００１６】
請求項５記載の発明によると、案内手段をもって、一次振分手段により第３入賞口に振り分けられた遊技球を、一次振分手段に確実に移動させることができる。
【００１７】
請求項６記載の発明によると、一次特別領域から二次特別領域へ移動する際の遊技球の流れを楽しむことができ、遊技の趣向性を高めることができる。
【発明を実施するための最良の形態】
【００１８】
以下、本発明に係わる一実施形態を図面に基づいて説明する。図１は、本発明を適用した弾球遊技機の正面図である。なお、以下の説明においては、図１において図面手前を「前方または表面」とし、図面奥を「後方または裏面」とし、左方を「左方」とし、右方を「右方」とする。
【００１９】
図１に示すように、弾球遊技機をなすパチンコ機１は、遊技施設に据え付けられる外枠２と、外枠２内に固定され、表面に外側ガイドレール５と内側ガイドレール６とによって包囲された円形状の遊技領域７を形成した遊技盤３と、遊技盤３の表面を開閉可能に外枠２に支持されたガラス枠扉４とを備えている。
【００２０】
ガラス枠扉４の下方に設けられた球供給皿９に貯留されている遊技球は、ガラス枠扉４の右下に設けられた操作ハンドル８を回動操作することによって、発射装置（図示略）から発射されて、外側ガイドレール５及び内側ガイドレール６により誘導されて遊技領域７に打ち込まれ、遊技領域７に植設された多数の遊技釘に当接しながら流下する。なお、遊技釘は、図面簡素化のため省略してある。
【００２１】
遊技領域７のほぼ中央部には、遊技領域７に打ち込まれた遊技球を後述の羽根部材１２が開閉動作しているとき内側に受入可能な入賞装置１０が配置されている。入賞装置１０の下方には、遊技球が入球可能な第１始動口３０及び左右の第２始動口３１がそれぞれ配置されている。さらに遊技領域７の最下部には、遊技領域７に打ち込まれた遊技球を遊技盤３の裏面側に排出するアウト口３２が設けられている。
【００２２】
図２は、入賞装置１０の正面図、図３は、斜め上方から見た入賞装置１０の斜視図、図４は、左側部を切り欠いて示す入賞装置１０の斜視図をそれぞれ示す。なお、入賞装置１０の下部前面には、カバー１０Ａが設けられるが、入賞装置１０の内部構造を示すため、カバー１０Ａは、２点鎖線で示すか、または省略してある。
【００２３】
入賞装置１０は、遊技盤３に固定されるとともに、内側に遊技球５０を受入可能な特別遊技領域１０１を形成した枠状のハウジング１１を備えている。特別遊技領域１０１は、左右方向の仕切板１１１により上、下特別遊技領域１０１Ａ、１０１Ｂに仕切られている。
【００２４】
ハウジング１１の上部には、遊技領域７に打ち込まれた遊技球５０を上特別遊技領域１０１Ａに受入可能な左右の球入口１１ａ、及び左右の球入口１１ａを開閉可能な左右の羽根部材１２、１２が設けられている。また、同じく左側部には、上特別遊技領域１０１Ａと下特別遊技領域１０１Ｂとを連絡して、上特別遊技領域１０１Ａ内に受け入れられた遊技球５０を受け入れて下特別遊技領域１０１Ｂの後述の一次凹部１１３内へ誘導可能な連絡路１１５が設けられている。
【００２５】
左右の羽根部材１２は、外側端部がハウジング１１に前後方向を向く軸廻りに回動可能に枢支されるとともに、ハウジング１１の裏面に取り付けられたソレノイド（図示略）にリンク１６を介して連結され、遊技球５０が第１始動口３０または第２始動口３１に入球したことを契機に１回または２回開閉動作する。
【００２６】
上特別遊技領域１０１Ａにおける仕切板１１１の上面には、羽根部材１２が開閉動作しているとき上特別遊技領域１０１Ａに受け入れられた遊技球５０を連絡路１１５に向けて誘導し得るように左下り勾配の傾斜面１１１ａが設けられている。
【００２７】
下特別遊技領域１０１Ｂの下部を形成するハウジング１１の下部板１１２の上面には、一次特別領域をなすお椀状に陥入した平面視円形の一次凹部１１３と、二次特別領域をなす平面視蒲鉾形に陥入した二次凹部１１４とが区画形成されている。
【００２８】
下特別遊技領域１０１Ｂにおける一次凹部１１３内には、連絡路１１５により誘導された遊技球５０を後述のように振分可能な一次振分手段をなす一次振分回転盤１３が回転可能に設けられ、また、同じく二次凹部１１４内には、一次振分回転盤１３により後述のリプレイ入賞口１１３ｃに振り分けられた遊技球５０をさらに振分可能な二次振分手段をなす二次振分回転盤１４が回転可能に設けられている。下特別遊技領域１０１Ｂの前側下方には、一次振分回転盤１３によりリプレイ入賞孔１１３ｃに振り分けられた遊技球５０を二次凹部１１４へ誘導可能な案内手段１５が設けられている。
【００２９】
図５は、入賞装置１０における要部の斜視図、図６は、入賞装置１０における要部の平面図、図７、８は、図６におけるVII―VII線縦断面図、図９は、図６におけるIX―IX線縦断面図、図１０は、図６におけるＸ−Ｘ線拡大縦断面図をそれぞれ示す。第１凹部１１３の底部には、遊技球５０が入賞することにより、特別遊技の権利を発生可能な第１入賞口をなす特別入賞口１１３ａと、一般の入賞とする第２入賞口をなす一般入賞口１１３ｂと、第３入賞口をなす振分のリプレイを可能にするリプレイ入賞口１１３ｃが設けられている。
【００３０】
一次振分回転盤１３は、一次凹部１１３内に垂直軸廻りに回転可能に枢支され、ハウジング１１の下部に取り付けられた駆動源をなすモータ１８により減速ギヤを介して、図６に示す矢印Ａ方向（遊技球５０が一次凹部１１３に誘導されてその内周面を転動する方向（図６に矢印で示す方向）と逆方向）へ回転する。
【００３１】
一次振分回転盤１３における中央部が凸の丘陵状をなす表面には、連絡路１１５により誘導されて一次凹部１１３に誘導された遊技球５０を受け入れてこれを一次振分回転盤１３の回転方向（図６において矢印Ａ方向）へ移動させて、特別入賞口１１３ａに振り分ける第１搬送部をなす１個の特別搬送孔１３ａと、特別搬送孔１３ａよりも内径側に位置し、かつ一般入賞口１１３ｂに振り分ける第２搬送部をなす８個の一般搬送孔１３ｂと、特別搬送孔１３ａよりも内径側で、かつ一般搬送孔１３ｂよりも外径側に位置する第３搬送部をなす１個のリプレイ搬送孔１３ｃが、円周方向に沿ってほぼ等間隔で形成されている。なお、特別搬送孔１３ａ、一般搬送孔１３ｂ及びリプレイ搬送孔１３ｃの数は、本実施形態に特定されるものでなく、必要に応じて変更可能である。
【００３２】
特別入賞口１１３ａは、一次振分回転盤１３の回転による特別搬送孔１３ａの移動経路の途中の真下に設けられ、一般入賞口１１３ｂは、一般搬送孔１３ｂの移動経路の途中の真下に設けられ、また、リプレイ入賞口１１３ｃは、リプレイ搬送孔１３ｃの移動経路の途中の真下に設けられる。
【００３３】
下特別遊技領域１０１Ｂにおける一次凹部１１３に誘導された遊技球５０は、一次凹部１１３の内周面を転動しつつ一次振分回転盤１３の上面に乗り上げて、特別搬送孔１３ａ、一般搬送孔１３ｂまたはリプレイ搬送孔１３ｃのいずれかに受け止められる。
【００３４】
特別搬送孔１３ａに受け止められた遊技球５０は、一次振分回転盤１３の回転に伴って、一次凹部１１３の底面を周方向へ転動して、図８に示すように特別入賞口１１３ａの真上に達した時点で特別入賞口１１３ａに振り分けられて入賞する。遊技球５０が特別入賞口１１３ａに入賞した場合には、所定数の遊技球５０が賞球として払い出されることに加え、左右の羽根部材１２が複数回開閉動作を繰り返す特別遊技の権利が発生する。特別遊技の権利が発生した場合には、左右の羽根部材１２が開閉動作している間、球入口１１ａに入球した遊技球５０が再度特別入賞口１１３ａに入賞すると、当該ラウンドを終了した後、次のラウンドに移行して、再度、左右の羽根部材１２が複数回開閉動作を繰り返すような大当り状態に移行する。なお、大当りの継続可能なラウンド数には、上限が設定されている。したがって、遊技球５０が特別入賞口１１３ａに入賞した場合には、特別遊技の権利が発生して、遊技者に対して短時間に大量の遊技価値を付与することとなる。
【００３５】
一般搬送孔１３ｂに受け止められた遊技球５０は、一次振分回転盤１３の回転に伴って、一次凹部１１３の底面を周方向へ転動して一般入賞口１１３ｂに振り分けられる。遊技球５０が一般入賞口１１３ｂに入賞した場合には、所定数の遊技球５０が賞球として払い出される。
【００３６】
リプレイ搬送孔１３ｃに受け止められた遊技球５０は、一次振分回転盤１３の回転に伴って、一次凹部１１３の底面を周方向へ転動して、リプレイ入賞口１１３ｃの真上に達した時点でリプレイ入賞口１１３ｃに振り分けられて入賞する。リプレイ入賞口１１３ｃに入賞した遊技球５０は、リプレイ入賞口１１３ｃを通過してリプレイ検出センサ１９（図２参照）により検出された後、案内手段１５の後述の斜面部１５１上に落下して、後述のように、案内手段１５により二次凹部１１４へ搬送される。
【００３７】
案内手段１５は、一次凹部１１３に設けられたリプレイ入賞口１１３ｃの真下から右方へ向けて下り勾配の斜面部１５１と、二次振分回転盤１４の前側に前後方向を向く軸廻りに回転自在に枢支されたリフト回転盤１５２と、リフト回転盤１５２を、減速ギヤ２２を介して、図２に示す矢印Ｂ方向へ回転させるモータ（図示略）とを含む。なお、リフト回転盤１５２の外周面の右半分は、傾斜面１５１の左端部に連設した囲い部１５３により囲まれている。なお、斜面部１５１及びリフト回転盤１５２の前面は、遊技球５０がこぼれ落ちないように、カバー１０Ａにより閉塞されている。
【００３８】
リフト回転盤１５２の外周には、その回転軸を中心として点対称位置に設けられた２個の取り込み部１５２ａ、１５２ｂが設けられている。取り込み部１５２ａ、１５２ｂは、傾斜面１５１を転動して来た遊技球５０を取り込んでリフト回転盤１５２の回転によって上方へ持ち上げて、二次凹部１１４の入口１１４ａに対向する位置に達した時点で、遊技球５０を入口１１４ａに向けて放出する。なお、取り込み部１５２ａ、１５２ｂの内面は、取り込み部１５２ａ、１５２ｂに取り込まれた遊技球５０を入口１１４ａに向けて転動させるように傾斜している。
【００３９】
二次凹部１１４の前部には、リフト回転盤１５２により搬送された遊技球５０を二次凹部１１４内に受入可能とする入口１１４ａが設けられている。なお、入口１１４ａの底面は、遊技球５０が二次凹部１１４の中央に向けて転動するように後方に向けて下り傾斜している。図９、１０に示すように、二次凹部１１４の底部１１４ｂは、二次凹部１１４に受け入れられた遊技球５０が二次凹部１１４の中央に向けて転動するようにすり鉢状に傾斜している。
【００４０】
図６に示すように、第２凹部１１４の底部１１４ｂには、第２凹部１１４に受け入れられた遊技球５０が入賞することにより、特別遊技の権利を発生可能な第４入賞口をなす特別入賞口１１４ｃと、特別入賞口１１４ｃよりも外周側に位置して一般の入賞とする第５入賞口をなす一般入賞口１１４ｄが設けられている。
【００４１】
二次振分回転盤１４は、下特別遊技領域１０１Ｂにおける二次凹部１１４内の中央部に垂直軸廻りに回転可能に枢支され、かつハウジング１１の下部に取り付けられた駆動源をなすモータ２０により減速ギヤを介して図６に示す矢印Ｃ方向へ回転する。
【００４２】
二次振分回転盤１４における中央部が凸の丘陵状をなす表面には、リフト回転盤１５２により搬送されて二次凹部１１４に受け入れられた遊技球５０を外周側から受け入れてこれを二次振分回転盤１４の回転方向へ移動させて、特別入賞口１１４ｃに振り分ける第４搬送部をなす１個の特別搬送切欠部１４ａと、特別搬送切欠部１４ａよりも浅く切り欠かれた一般入賞口１１４ｄに振り分ける第５搬送部をなす４個の一般搬送切欠部１４ｂが、円周方向に沿ってほぼ等間隔で形成されている。なお、特別搬送切欠部１４ａ及び一般搬送切欠部１４ｂは、遊技球５０が外周側から受入可能に外周側が開口している。特別搬送切欠部１４ａ及び一般搬送切欠部１４ｂの数は、本実施形態に特定されるものでなく、必要に応じて変更可能である。
【００４３】
特別入賞口１１４ｃは、二次振分回転盤１４の回転に伴う特別搬送切欠部１４ａの奥部の移動経路の途中の真下に設けられ、一般入賞口１１４ｄは、二次振分回転盤１４の回転に伴う一般搬送切欠部１３ｂの奥部の移動経路の途中の真下に設けられる。
【００４４】
入口１１４ａから二次凹部１１４内に進入した遊技球５０は、二次振分回転盤１４の外周に当接しつつ特別搬送切欠部１４ａまたは一般搬送切欠部１４ｂのいずれかに進入する。このとき、二次凹部１１４の底部１１４ｂが中央部に向けて下り傾斜しているため、二次凹部１１４に進入した遊技球５０は、特別搬送切欠部１４ａまたは一般搬送切欠部１４ｂの奥部に向けて確実に移動する。
【００４５】
特別搬送切欠部１４ａに進入した遊技球５０は、二次振分回転盤１４の回転に伴って、二次凹部１１４の底面を周方向へ転動して、図１０に示すように、特別搬送切欠部１４ａが特別入賞口１１４ｃの真上に達すると、特別入賞口１１４ｃに振り分けられて入賞する。また、一般搬送切欠部１４ｂに進入した遊技球５０は、二次凹部１１４の底面を周方向へ転動して、一般搬送切欠部１４ｂが一般入賞口１１４ｄの真上に達した時点で一般入賞口１１４ｄに振り分けられて入賞する。
【００４６】
これにより、遊技球５０が一次振分回転盤１３によりリプレイ入賞口１１３ｃに振り分けられた場合には、遊技者は、一次振分回転盤１３による一次抽選と、二次振分回転盤１４による二次抽選の２度の抽選を楽しむことができる。また、二次抽選で遊技球５０が特別入賞口１１４ｃに入賞した場合には、一次抽選と同じ特別遊技または異なる特別遊技の権利が発生して、遊技者に対して短時間に大量の遊技価値を付与する。遊技球５０が一般入賞口１１４ｄに入賞した場合には、所定数の遊技球５０が賞球として払い出される。なお、一次抽選と異なる特別遊技としては、例えば、一次抽選での特別遊技と比較して、羽根部材１２の開閉動作やラウンド数を異ならせることが考えられる。
【００４７】
以上、本発明の一実施形態について説明したが、本発明の要旨を逸脱しない範囲内で、上記実施形態に対して、次のような種々の変形や変更を施すことが可能である。
（ｉ）特別遊技領域１０１に受け入れられた遊技球５０を、特別遊技領域１０１における一次特別領域１１３から二次特別領域１１４へ搬送する案内手段１５を省略する。この場合には、一次特別領域１１３と二次特別領域１１４とを２階建て構造として、一次振分手段１３により振り分けられた遊技球５０を、二次振分手段１４上に直接落下させる。
（ii）特別遊技領域１０１に受け入れられた遊技球５０が一次振分手段１３により第３入賞口１１３ｃに振り分けられた場合、遊技球５０を二次特別領域１１４に移動させて、再度抽選を行なうものに代えて、遊技球５０が第３入賞口１１３ｃに振り分けられた時点で、特別遊技と異なる他の特別遊技の権利を発生させるようにする。この場合、他の特別遊技としては、例えば、特別遊技と比較して、羽根部材１２の開閉動作が少ない、またはラウンド数が少ない中当りとする。
【図面の簡単な説明】
【００４８】
【図１】本発明を適用した弾球遊技機の正面図である。
【図２】入賞装置の正面図である。
【図３】斜め上方から見た入賞装置の斜視図である。
【図４】左側部の一部を切り欠いた入賞装置の斜視図である。
【図５】入賞装置における要部の斜視図である。
【図６】入賞装置における要部の平面図である。
【図７】図６におけるVII―VII線縦断面図である。
【図８】一次振分手段の第３搬送部が第３入賞口の真上に来たときの図６におけるVII−VII線縦断面図である。
【図９】図６におけるIX―IX線縦断面図である。
【図１０】図６におけるＸ−Ｘ線拡大縦断面図である。
【符号の説明】
【００４９】
１  パチンコ機（弾球遊技機）
２  外枠
３  遊技盤
４  ガラス枠扉
５  外側ガイドレール
６  内側ガイドレール
７  遊技領域
８  操作ハンドル
９  球供給皿
１０  入賞装置
１０Ａ  カバー
１１  ハウジング
１１ａ  球入口
１２  羽根部材
１３  一次振分回転盤（一次振分手段）
１３ａ  特別搬送孔（第１搬送部）
１３ｂ  一般搬送孔（第２搬送部）
１３ｃ  リプレイ搬送孔（第３搬送部）
１４  二次振分回転盤（二次振分手段）
１４ａ  特別搬送切欠部（第４搬送部）
１４ｂ  一般搬送切欠部（第５搬送部）
１５  案内手段
１６  リンク
１８  モータ
１９  リプレイ検出センサ
２０  モータ
２２  減速ギヤ
３０  第１始動口
３１  第２始動口
３２  アウト口
５０  遊技球
１０１  特別遊技領域
１０１Ａ  上特別遊技領域
１０１Ｂ  下特別遊技領域
１１１  仕切板
１１１ａ  傾斜面
１１２  下部板
１１３  一次凹部（一次特別領域）
１１３ａ  特別入賞口（第１入賞口）
１１３ｂ  一般入賞口（第２入賞口）
１１３ｃ  リプレイ入賞口（第３入賞口）
１１４  二次凹部（二次特別領域）
１１４ａ  入口
１１４ｂ  底部
１１４ｃ  特別入賞口（第４入賞口）
１１４ｄ  一般入賞口（第５入賞口）
１１５  連絡路
１５１  斜面部
１５２  リフト回転盤
１５２ａ、１５２ｂ  取り込み部
１５３  囲い部
【図１】
2008161368.tif 000003
【図２】
2008161368.tif 000004
【図３】
2008161368.tif 000005
【図４】
2008161368.tif 000006
【図５】
2008161368.tif 000007
【図６】
2008161368.tif 000008
【図７】
2008161368.tif 000009
【図８】
2008161368.tif 000010
【図９】
2008161368.tif 000011
【図１０】
2008161368.tif 000012